(57)【要約】【課題】室式コークス炉の炉体目地構造におけるシール性を向上させ、耐火物の目地開きが発生した場合であっても炉内からのガスリークを確実に防止する。【解決手段】室式コークス炉の炉体目地構造は、室式コークス炉の炉体を構成する耐火物の目地構造であって、耐火物目地間に耐火物の動きを拘束・阻害しないシール材５を介在させたことを特徴とするものである。シール材５は、セラミックファイバー系のジョイントシートからなる。シール材５は、炉頂デッキ３と燃焼室１および炭化室２の天井との目地間、あるいは窯口煉瓦構造の異種材質耐火物の目地間に敷設する。【選択図】　　　　　図１
2004131514.tif 000002
【特許請求の範囲】
【請求項１】
室式コークス炉の炉体を構成する耐火物の目地構造であって、
耐火物目地間に耐火物の動きを拘束・阻害しないシール材を介在させたことを特徴とする室式コークス炉の炉体目地構造。
【請求項２】
前記シール材は、セラミックファイバー系のジョイントシートからなることを特徴とする請求項１記載の室式コークス炉の炉体目地構造。
【請求項３】
前記シール材は、炉頂デッキと燃焼室および炭化室の天井との目地間に敷設することを特徴とする請求項１または２記載の室式コークス炉の炉体目地構造。
【請求項４】
前記シール材は、窯口煉瓦構造の異種材質耐火物の目地間に敷設することを特徴とする請求項１または２記載の室式コークス炉の炉体目地構造。
【発明の詳細な説明】
【０００１】
【発明の属する技術分野】
本発明は、室式コークス炉の炉体を構成する耐火物の目地構造に関し、特に異種材質耐火物間の目地構造に関する。
【０００２】
【従来の技術】
室式コークス炉では、炉頂デッキと燃焼室および炭化室の天井との間や、窯口煉瓦構造の異種材質耐火物の間に、閉塞性を確保するための目地モルタル等が施工されている。
従来、室式コークス炉の炉体を構成する耐火物の目地構造において、シール性を向上させるための技術が種々提案されている。
例えば、ドアフレームの上方端縁部の後ろで、ドアフレームの輪郭に合わせて珪石煉瓦壁の前に特定構造のブリッジを配置し、上方の珪石煉瓦壁とシャモット煉瓦壁との間の境界を簡単にシールする装置が提案されている（特許文献１参照）。
また、コークス炉炉頂の最上層の耐火物と装入車軌条支持金物の縦目地中に、耐熱性弾性材と押さえ用部材とを設けることにより、長期にわたって目地開きの発生を防止するシール構造が提案されている（特許文献２参照）。
また、従来のシール材よりも貯蔵安定性に優れ、スラリー状態のままの運搬、貯蔵、配管での長距離輸送が可能で、かつ乾燥後のガスシール効果も優れたコークス炉用シール材が提案されている（特許文献３参照）。
【０００３】
【特許文献１】特公昭５７−５４０７２号公報
【特許文献２】特公平７−２６１０３号公報
【特許文献３】特開平９−７８０５３号公報
【０００４】
【発明が解決しようとする課題】
上述したように、従来の室式コークス炉の炉体目地構造では、基本的に、煉瓦同士のダボ／アゴ嵌合と、煉瓦間に施工された目地モルタルによりシール性を確保している。
室式コークス炉では、稼働率変更に伴う炉温変動や大気温度の変化等に応じて、炉体各部において温度差が生じる。特に、バックステイ、擁壁以外の部位では、煉瓦同士のダボ／アゴ嵌合および煉瓦自重による圧着以外に、煉瓦間目地をシールする技術はなく、目地開きが発生しやすい。
また、炭化室と燃焼室との間、燃焼室と炉体表面との間、および個々の連絡ダクト等ではガスリークが発生するおそれがあり、これを確実に防止するための技術の開発が望まれている。
本発明は、上述した事情に鑑み提案されたもので、室式コークス炉の炉体目地構造におけるシール性を向上させ、耐火物の目地開きが発生した場合であっても炉内からのガスリークを確実に防止することが可能な室式コークス炉の炉体目地構造を提供することを目的とする。
【０００５】
【課題を解決するための手段】
＜特徴点＞
本発明に係る室式コークス炉の炉体目地構造は、上述した目的を達成するため、以下の特徴点を備えている。
すなわち、本発明に係る室式コークス炉の炉体目地構造は、室式コークス炉の炉体を構成する耐火物の目地構造であって、
耐火物目地間に耐火物の動きを拘束・阻害しないシール材を介在させたことを特徴とするものである。
また、前記シール材は、セラミックファイバー系のジョイントシートとすることが好ましい。
また、前記シール材は、炉頂デッキと燃焼室および炭化室の天井との目地間に敷設することが好ましい。
また、前記シール材は、窯口煉瓦構造の異種材質耐火物の目地間に敷設することが好ましい。
【０００６】
＜作用＞
本発明に係る室式コークス炉の炉体目地構造では、耐火物目地間に介在させたシール材により目地構造のシール性を向上させることができる。このため、耐火物の目地開きが発生した場合であっても炉内からのガスリークを確実に防止することができる。
また、セラミックファイバー系のジョイントシートは、高温耐性、引張／剪断耐性が高く、柔軟性に富むため耐火物の動きを拘束せず、さらにタール等の発生ガス成分に対する材質安定性が高い。このため、長期にわたってシール性を確保することができる。
また、室式コークス炉において温度変化を受けやすい部位である炉頂デッキと燃焼室および炭化室の天井との目地間、あるいは、窯口煉瓦構造の異種材質耐火物の目地間にシール材を敷設することにより、シール性を高めることができる。
【０００７】
【発明の実施の形態】
以下、図面に示す具体的な実施例を参照して、本発明に係る室式コークス炉の炉体目地構造の実施形態を説明する。
＜炉頂デッキへの適用＞
図１，図２は、本発明に係る室式コークス炉の炉体目地構造を炉頂デッキへ適用した実施例を示すもので、図１は室式コークス炉の炉頂デッキ付近の立面断面図、図２は図１におけるＡ−Ａ断面図である。
室式コークス炉には、図１，図２に示すように、燃焼室１および炭化室２の上部に炉頂デッキ３が設けられている。炉頂デッキ３はシャモット煉瓦により構築され、燃焼室１および炭化室２の天井部分４は珪石煉瓦により構築されている。このように、炉頂デッキ３と、燃焼室１および炭化室２の天井部分４とは、異種材質の耐火物により構築されており、膨張や熱変形等の挙動が異なる。
このため、本実施例に係る室式コークス炉の炉体目地構造では、炉頂デッキ３と燃焼室１および炭化室２の天井部分４の境界にシール材５を介在させている。このシール材５は、高温耐性、引張／剪断耐性が高く、柔軟性に富むため煉瓦の動きを拘束せず、さらにタール等の発生ガス成分に対する材質安定性が高いセラミックファイバー系のジョイントシートにより形成される。セラミックファイバー系のジョイントシートとしては、例えば、新日鐵化学株式会社製のＳＣペーパーＮｏ．１２６０等を使用することができる。
【０００８】
＜窯口煉瓦構造への適用＞
図３は、本発明に係る室式コークス炉の炉体目地構造を窯口煉瓦構造へ適用した実施例を示す窯口部分の横断面図である。
室式コークス炉の窯口部分では、図３に示すように、燃焼室１の側面が、保護板６およびディスタンスピース７を介してバックステイ８により支持されており、炭化室２の窯口には炉蓋９が取り付けられている。なお、炉蓋９は、炉蓋枠１０および保護板６を介して燃焼室１の側面に支持されている。
燃焼室１の側面と保護板６との間の窯口煉瓦構造は、３つの部分に分割されている。すなわち、窯口煉瓦構造は、燃焼室１に隣接する第１の窯口煉瓦構造１１と、第１の窯口煉瓦構造１１と保護板６の中心部分との間に位置する第２の窯口煉瓦構造１２と、第２の窯口煉瓦構造１２の周辺部分に位置する第３の窯口煉瓦構造１３とからなる。
【０００９】
第１の窯口煉瓦構造１１は珪石煉瓦により構築され、第２の窯口煉瓦構造１２は断熱煉瓦により構築され、第３の窯口煉瓦構造１３はシャモット煉瓦により構築されている。
このように、第１の窯口煉瓦構造１１、第２の窯口煉瓦構造１２、および第３の窯口煉瓦構造１３は、異種材質の耐火物により構築されており、膨張や熱変形等の挙動が異なる。
このため、本実施例に係る室式コークス炉の炉体目地構造では、第１の窯口煉瓦構造１１と、第２の窯口煉瓦構造１２および第３の窯口煉瓦構造１３との間にシール材５を介在させている。シール材５の材質は、上記実施例のものと同様である。
【００１０】
＜他の実施形態＞
なお、本発明に係る室式コークス炉の炉体目地構造の構成は、上述した実施例に限定されるものではない。例えば、シール材５は、セラミックファイバー系のジョイントシートに限られるものではなく、高温耐性、引張／剪断耐性が高く、柔軟性に富むため煉瓦の動きを拘束せず、さらにタール等の発生ガス成分に対する材質安定性が高い材質のものであれば、どのようなシール材５を用いてもよい。
【００１１】
【発明の効果】
以上説明したように、本発明に係る室式コークス炉の炉体目地構造によれば、耐火物目地間に耐火物の動きを拘束・阻害しないシール材を介在させているため、目地構造のシール性を向上させることができる。したがって、耐火物の目地開きが発生した場合であっても、炉内からのガスリークを確実に防止することができる。
また、シール材をセラミックファイバー系のジョイントシートとすることにより、長期にわたってシール性を確保することができる。
また、室式コークス炉において温度変化を受けやすい部位である炉頂デッキと燃焼室および炭化室の天井との目地間にシール材を敷設することにより、燃焼室から炉頂デッキへのガスシール性を向上させることができる。
【００１２】
更に、室式コークス炉において温度変化を受けやすい部位である窯口煉瓦構造の異種材質耐火物の目地間にシール材を敷設することにより、端フリューから窯口煉瓦への含浸タールを抑制することができるとともに、断熱材へのタール侵入を抑制して断熱性を維持することができる。
また、シール材を異種材質耐火物の目地間に敷設した場合には、耐火物とシール材の間の摩擦が小さくなり、炉体建築時における炉乾燥や昇温の影響、生産性を向上させるための操業形態の変更、および大気温度変化に伴う炉体の部分的な熱変異等に対して、炉体煉瓦を保護することができる。
【図面の簡単な説明】
【図１】本発明に係る室式コークス炉の炉体目地構造を炉頂デッキへ適用した実施例を示す炉頂デッキ付近の立面断面図である。
【図２】図１におけるＡ−Ａ断面図である。
【図３】本発明に係る室式コークス炉の炉体目地構造を窯口煉瓦構造へ適用した実施例を示す窯口部分の水平断面図である。
【符号の説明】
１　燃焼室
２　炭化室
３　炉頂デッキ
４　天井部分
５　シール材
６　保護板
７　ディスタンスピース
８　バックステイ
９　炉蓋
１０　炉蓋枠
１１　第１の窯口煉瓦構造
１２　第２の窯口煉瓦構造
１３　第３の窯口煉瓦構造
【図１】
2004131514.tif 000003
【図２】
2004131514.tif 000004
【図３】
2004131514.tif 000005